(57)【特許請求の範囲】
【請求項１】
多数枚のカードを積載収容するカード収容部と、往復スライダーリンク機構からなるスライド駆動手段により初期位置から往復走行し、その往路走行中に前記カード収容部に積載収容された多数枚のカードのうち、その最下面にあるカードをカード払出口に連通したカード搬送路へ押し出すスライドと、前記スライドがその初期位置から往路走行する際に前記カード搬送路を拡開するとともに、前記スライドが初期位置へ復帰する際に前記カード搬送路を閉塞するリンクにより駆動されるシャッターレバーを有するシャッター手段とを少なくとも有するカード払出部とを具えたカード払出し装置において、
前記往復スライダーリンク機構のクランク周面にカム面を形成するとともに、該カム面に前記シャッター手段のリンクを摺接させ、前記シャッター手段のシャッターレバーを前記往復スライダーリンク機構のクランク周面を介し直接駆動させるようにしたことを特徴とするカード払出し装置。
【請求項２】
前記スライドはスライドホルダ内に装着されるとともに、該スライドホルダーは前記往復スライダーリンク機構の往復スライダに軸を介し回動自在に支承され、かつ該軸は前記往復スライダの上面にネジを介し螺着される押え板により前記往復スライダ上面所定位置に着脱自在に装着されることを特徴とする請求項(1）記載のカード払出し装置。
【請求項３】
前記クランク周面に形成されたカム面は平面略楕円形状であり、そのカム面の最大径部分とその直後のカム面との間には他の周面よりも大きい段差が形成されていることを特徴とする請求項(1）記載のカード払出し装置。
【発明の詳細な説明】
【０００１】
【発明の属する技術分野】
この発明はテレホンカード、あるいはオレンジカード等の比較的板厚が薄いカード（プリペイドカードあるいはＩＣカード等を含む）を複数枚積載収容し、その積載収容した複数枚のカードをその最下面から一枚ずつ払い出すようにしたカード払出し装置に関する。
【０００２】
【従来の技術】
従来より、テレホンカード等を販売するカード自動販売機の機器筐体内には、投入金額に応じたカードを払い出すカード払出し装置が設置されている。
【０００３】
このカード払出し装置は大別して、多数枚のカードを積載収容するカード収容部と、このカード収容部内に積載収容された多数枚のカードのうち、その最下面にあるカードを一枚ずつ押し出すカード払出部とから構成されている。
【０００４】
一方、本願出願人は上述したカード払出し装置の高速かつ安定した払出しを図るため、先に特願平９−４２３０７号において新たなカード払出し装置を提案した。
【０００５】
なお、この本願出願人が先に提案したカード払出し装置の詳細な構造およびその機能については、特願平９−４２３０７号の記載を参照されたいが、ここでは、その大略を詳述する。
【０００６】
本願出願人が先に提案した特願平９−４２３０７号のカード払出し装置１は、その要部破断面図で示す図８のように、複数枚のカードを積載収容するカード収容部２と、このカード収容部２に積載収容されたカードを一枚ずつ払い出すカード払出部３とから構成されている。
【０００７】
このうち、カード払出部３は、カード収容部２を取り除いた上面図で示す図９のように、筐体４内に配設されたカード分離搬送手段５と、このカード分離搬送手段５により一枚ずつ分離搬送されたカードを筐体４内から排出するカード排出手段６とから構成されている。
【０００８】
この、カード分離搬送手段５は筐体４の上面を覆うセンターベース７の下方に配設され、またカード排出手段６は筐体４の先端側を覆う出口カバー８の下方にそれぞれ配設されている。
【０００９】
このカード分離搬送手段５は、図８に示すカード収容部２に収容された複数枚のカード９のうち、その最下面に位置するカード１０の右端と係合し、当該係合したカードを一枚ずつ図面左側へ向け走行させて分離搬送させるもので、その主要構成要素は、図９で示すように最下面のカードと係合する段部を有するスライド１１、このスライド１１を図面の左右方向へ往復走行させるスライド駆動手段１２、スライド１１を図面の左右方向へ案内するガイド溝１３およびこのガイド溝１３に係合するローラ１４等からなるスライド案内手段１５、および走行途中でスライド１１の姿勢を変更させるスライド姿勢変更手段１６等から構成されている。
【００１０】
このうちスライド駆動手段１２は、図８で示すように、第１の駆動モータ２０と、この駆動モータ２０の回転を減速して伝達する歯車伝達機構２１と、この歯車伝達機構２１の出力軸２２から伝達された回転力をスライド１１の図面左右方向への往復運動に変換する往復スライダリンク機構３０とから構成されている。
この往復スライダリンク機構３０は歯車伝達機構２１の出力軸２２から伝達された回転力により回転する円板体のクランク３１と、このクランク３１の上面外周縁に突設されたクランクピン３１ａと、該クランクピン３１ａと係合するガイド溝３２ａを有しクランク３１が一回転するとスライド１１をガイド溝１３に沿って図面左右方向へ一往復させる往復スライダ３２とから構成されている。
【００１１】
一方、このカード払出し装置１には、カード払出し口４０の直前に配設されたカード排出手段６とカード収容部２内に積載収容された複数枚のカード９の先端側９ａとの間に形成されたカード搬送路４１には、当該カード搬送路４１を所定のタイミングで開閉するシャッター手段５０が配設されている。なお、上述したカード排出手段６は駆動ローラ６ａと、この駆動ローラ６ａの周面に圧接する従動ローラ６ｂとにより構成されている。
【００１２】
このシャッター手段５０はカード搬送路４１内に出没する断面略Ｌ字形状のシャッターレバー５１と、このレバー５１を軸５２を中心に回動させ、これによりカード搬送路４１を開閉する平面矩形上の枠体により構成されたリンク５３とから構成されている。
【００１３】
このうち、矩形上の枠体により構成されたリンク５３はシャッターレバー５１の側方に形成された突起５１ａに係合する長孔５３ａを有し、このリンク５３の後端５３ｂはスライド姿勢変更手段１６を構成する傾斜壁後端５４を越える位置に至るまで延設されている。
【００１４】
またこのリンク５３の後端５３ｂは、スライド１１の初期位置では、当該スライド１１の後端１１ａと当接して、その付勢力によりにより図面の右側へ移動し、これによりレバー５１を軸５２を中心に時計方向へ所定の角度回転させてカード搬送路４１内に突出させ、当該カード搬送路４１を閉塞している。
【００１５】
なお、スライド１１が図面左方向へ往路走行してリンク後端５３ｂとスライド後端１１ａとの当接が解除されると、枠体のリンク５３は筐体４を上下に画成する隔壁５５の一部に突設された係止片５５ａとリンク５３の一端５３ｃとの間に張設されたコイルスプリング５６の付勢力により、図面の左側へ移動し同時にシャッターレバー５１を軸５２を中心に反時計方向へ所定の角度回転させ、これによりカード搬送路４１を拡開する。
【００１６】
そして、スライド１１が最下面のカード１０を押し出した後、当該スライド１１が再び図８で示す初期位置へ復帰すると、その際、シャッター手段５０のリンク後端５３ｂとスライド後端１１ａとが再び当接し、その当接の際の付勢力により枠体のリンク５３を図面の右側へ移動させ、これによりシャッタレバー５１を軸５２ａを中心に時計方向へ所定の角度回転させてカード搬送路４１を再び閉塞する。
【００１７】
なお、シャッタレバー５１が軸５２を中心に時計方向へ回転してカード搬送路４１を再び閉塞すると、その際にシャッタレバー４１の押圧力によりカード収容部２の下方から二重搬送された複数枚のカード９（最下面のカード１０を押し出した際に引きつられて押し出されるカード）は図示したカード収容部２内の初期位置に再び位置決め収容される。
【００１８】
【発明が解決しようとする課題】
ところで、本願出願人が先に特開平９−４２３０７号により提出した上述したカード払出し装置１によると、シャッター手段５０を構成する枠体のリンク後端５３ｂはスライド後端１１ａに当接して図面の右側へ移動し、これによりシャッターレバー５１を時計方向へ回転させてカード搬送路４１を閉塞する構造であるから、図９で示すように、少なくともスライド１１の後方にリンク後端５３ｂを配置し、かつこのリンク後端５３ｂが所定距離移動するだけのスペースＳを確保せねばならず、このためカード払出し装置１の全長Ｌを一層短く設定し、これにより一層コンパクトなカード払出し装置を提供することが困難である。
【００１９】
因みに、このようなカード払出し装置１を収容するカード自動販売機の機器筐体そのものも、その設置スペース（例えば取り扱うカードがテレホンカードの場合は電話ボックス内のスペース）に応じて次第に薄形および小型になる傾向があり、このためカード自動販売機の筐体内部に設置するカード払出し装置１も、カード自動販売機の筐体サイズに応じて小型化を図らなければならない。
【００２０】
この発明は、上述した事情に鑑み、一層の小型化を図ったカード払出し装置を提供することを目的とする。
【００２１】
【課題を解決するための手段】
上述した課題を解決するため、この発明では、多数枚のカードを積載収容するカード収容部と、往復スライダーリンク機構からなるスライド駆動手段により初期位置から往復走行し、その往路走行中に前記カード収容部に積載収容された多数枚のカードのうち、その最下面にあるカードをカード払出口に連通したカード搬送路へ押し出すスライドと、前記スライドがその初期位置から往路走行する際に前記カード搬送路を拡開するとともに、前記スライドが初期位置へ復帰する際に前記カード搬送路を閉塞するリンクにより駆動されるシャッターレバーを有するシャッター手段とを少なくとも有するカード払出部とを具えたカード払出し装置において、前記往復スライダーリンク機構のクランク周面にカム面を形成するとともに、該カム面に前記シャッター手段のリンクを摺接させ、前記シャッター手段のシャッターレバーを前記往復スライダーリンク機構のクランク周面を介し直接駆動させるようにしている。
【００２２】
【発明の実施の形態】
以下、この発明に係わるカード払出し装置の実施例を詳述する。
【００２３】
図１はこの発明に係わるカード払出し装置６０の要部破断概念断面図、図２はカード収容部２を除いたカード払出し部３の上面図で、図８、図９と同一機能を果たす部分は同一符号で示す。
【００２４】
図１および図２から明らかなように、カード払出し部３を構成する筐体６１内に配設されたスライド１１の後端１１ａ後方には、図９で示すようなリンク後端５３ｂが存在しない構造となっている。
【００２５】
このため、この筐体６１内には図９に示すようにリンク後端５３ｂを配置し、その移動量を確保する分のスペースＳを設ける必要がなく、これを削除して図１および図２で示す筐体６１の全長Ｌ´を短く（Ｌ´＜Ｌ）設定して、カード払出し装置６０をコンパクトに形成することができることとなる。
【００２６】
一方、図１で示すように、このカード払出し装置６０のカード搬送路４１を開閉するシャッター手段７０は、カード搬送路４１内に出没する断面略Ｌ字形状のシャッターレバー７１と、このレバー７１を軸７２を中心に回動させる矩形上の枠体からなるリンク７３とから構成されている。
【００２７】
このうち、矩形上の枠体により構成されたリンク７３はシャッターレバー７１の側方に形成された突起７１ａに係合する長孔７３ａを有し、このリンク７３の後端７３ｂは以下に詳述する往復スライダリンク機構８０の円板体からなるクランク８１の周面に形成されたカム面８１ａに当接している。
【００２８】
図３は図２で示すカード分離搬送手段５を構成するスライド１１等の主な機構を取り除いた筐体６１の上面図である。
【００２９】
この筐体６１内に配設された往復スライダリンク機構８０の円板体からなるクランク８１は、その周面に平面略楕円形状のカム面８１ａが形成され、その最大径部分の上方にはクランクピン８１ｂが突出形成されている。
【００３０】
また、そのカム面８１ａのうち最大径部分とその直後のカム面８１ａ´との間には他の周面よりも大きな段差ｔが確保されている。
【００３１】
一方、シャッター手段７０を構成する矩形状のリンク７３の後端７３ａは、上述したクランク８１の周面に形成されたカム面８１ａに当接している。
【００３２】
なお、実施例ではこの矩形状のリンク７３はプラスチック等の合成樹脂により一体形成されているので、リンク後端７３ａはクランク８１の周面に形成されたカム面８１ａと摺接すると磨り減りやすいので、これを避けるため鉄等の金属で形成された棒７４をリンク後端７３ａに装着し、この棒７４をクランク８１のカム面８１ａに直接当接させるようにしている。
【００３３】
この図３で示す往復スライダリンク機構８０の円板体からなるクランク８１によると、その周面に形成されたカム面８１ａのうち、その最大径部分がリンク７３の後端７３ａに当接し、その付勢力により矢印Ａで示すように、枠体のリンク７３を図面の右側へ移動させるようにしているので、シャッターレバー７１が図１の軸７２を中心に時計方向へ所定の角度時計方向へ回転してカード搬送路４１内に突出し、当該カード搬送路４１を閉塞している。
【００３４】
一方、図４の矢印で示すように、クランク８１が反時計方向へ所定の回転角度回転すると、カム面８１ａのうち最大径部分とその直後のカム面８１ａ´との間の大きな段差ｔにより、カム面８１ａとリンク７３の後端７３ａとの当接が迅速に解除され、この結果、枠体のリンク７３は図１に示す筐体６１の上下を画成する隔壁５５の一部に突設された係止片５５ａとリンク７３の一端７３ｃとの間に張設されたコイルスプリング５６の付勢力により、図４の矢印Ｂで示すように図面の左側へ迅速に移動し、同時にシャッターレバー７１を図１の軸７２を中心に反時計方向へ所定の角度回転させ、これによりカード搬送路４１を迅速に拡開する。
【００３５】
そして、さらにクランク８１が反時計方向への回転を持続し、これにより従来と同様にスライド１１が最下面のカード１０（図１）をカード搬送路４１へ押し出し、その後、クランク８１が再び図１で示す初期位置へ復帰すると、図３で示すように、シャッター手段７０のリンク後端７３ｂとクランク８１の周面に形成されたカム面８１ａの最大径部分とが再び当接する。すると枠体のリンク７３は矢印Ａで示す図面右方向へ迅速に移動し、これによりシャッターレバー７１を図１の軸７２を中心に時計方向へ所定の角度回転してカード搬送路４１内に突出し、これにより当該カード搬送路４１を再び閉塞する。
【００３６】
したがって、本願発明に係わる上述したカード払出し装置１によると、図１で示すように、シャッター手段７０のリンク後端７３ｂを図９で示す従来例のようにスライド１１の後端１１ａで駆動するのではなく、クランク８１の周面に形成されたカム面８１ａにより駆動するようにしたから、スライド１１の後端１１ａにリンク後端７３ｂを配置し、かつこのリンク後端７３ｂが所定距離移動するだけのスペースを確保する必要がなくなるから筐体６１（カード払出し装置６０）の全長Ｌ´を一層短く設定し、これにより一層コンパクトなカード払出し装置を提供することができることとなる。
【００３７】
一方、図１に示す往復スライダリンク機構８０を構成するクランク８１のクランクピン８１ｂに係合し、クランク８１の回転に連動して図面の左右方向へ往復走行する往復スライダ３２に配設されたスライド１１は、図９に示す従来例と異なり、カード収容部２をカード払出し部３から取り除いた状態で往復スライダ３２から簡単に取り外すことが可能な構造となっている。
【００３８】
次に往復スライダ３２に装着されたスライド１１の詳細な構造を詳述する。
【００３９】
図５は上述した往復スライダ３２の拡大断面図である。
【００４０】
この往復スライダ３２に装着されたスライド１１は、スライドホルダ９０を介し装着されているが、このスライドホルダ９０は、その一端に嵌挿された軸９１を介し前記往復スライダ３２に回動自在に支承されている。
【００４１】
この軸９１は図５のＣＣ断面図で示す図６のように、押え板９２により往復スライダ３２の中央に位置決めされる構造となっており、またこの押え板９２は、図５で示すように、上方から螺着されるネジ９３により往復スライダ３２の上面に着脱自在に取り付けられている。
【００４２】
従って、図７の組立分解断面図で示すように、上方からネジ９３を取り外す簡単な作業で押え板９２を取り外し、その後、往復スライダ３２の上方から軸９１とともにスライドホルダ９０を取り外せば、往復スライダ３２に対し各種異なったタイプのスライド１１（例えば取り扱うカードの板厚に応じた段差を有するスライド）が装着された各種スライドホルダ９０を簡単に交換して装着させることができることとなる。
【００４３】
因みに、図９に示す往復スライダ３２に装着された従来のスライドホルダーは、スライド１１がリンク後端５３ｂと当接する機構上、簡単には取り外せない構造となっており、取り外すためには、往復スライダ３２全体を筐体４内から取り外すという面倒な作業が必要で、本願の実施例のように筐体６１の上方からスライド１１が装着されたスライドホルダ９０のみを往復スライダ３２から簡単に取り外して交換する等の保守点検作業が容易にできない構造である。
【００４４】
【発明の効果】
以上説明したように、この発明のカード払出し装置では、カード搬送路を開閉するシャッター手段のシャッターレバーを駆動するリンクを、往復スライダーリンク機構のクランク周面に形成されたカム面により直接駆動させるようにしたため、従来のごとくシャッター手段のリンク後端をスライド後端に配設し、かつそのリンク後端が移動するスペースをスライド後方に設ける必要がなく、このためそのスペース分だけカード払出し装置のカード払出し部を構成する筐体の全長を短く設定して一層コンパクトなカード払出し装置を提供することができる。
【図面の簡単な説明】
【図１】図１は、この発明に係わるカード払出し装置の要部破断概念断面図。
【図２】図２は、カード収容部を取り除いたカード払出し部の上面図。
【図３】図３は、スライド等の構成要素を除いたカード払出し部の上面図。
【図４】図４は、スライド等の構成要素を除いたカード払出し部の上面図。
【図５】図５は、往復スライダの拡大断面図。
【図６】図６は図５のＣＣ断面図。
【図７】図７は往復スライダの組立分解断面図。
【図８】図８は従来のカード払出し装置の要部破断概念断面図。
【図９】図９はカード収容部を取り除いた従来のカード払出し部の上面図。
【符号の説明】
２…カード収容部
３…カード払出部
９…カード
１１…スライド
３２…往復スライダ
４０…カード払出口
４１…カード搬送路
６０…カード払出し装置
７０…シャッター手段
７１…シャッターレバー
７３…リンク
８０…往復スライダーリンク機構
８１…クランク
８１ａ…カム面
９０…スライドホルダ
９１…軸
９２…押え板
９３…ネジ
ｔ…段差
【図１】
0003690469.tif 000002
【図２】
0003690469.tif 000003
【図３】
0003690469.tif 000004
【図４】
0003690469.tif 000005
【図５】
0003690469.tif 000006
【図６】
0003690469.tif 000007
【図７】
0003690469.tif 000008
【図８】
0003690469.tif 000009
【図９】
0003690469.tif 000010